(57)【特許請求の範囲】
【請求項１】
あらかじめ経糸を湿潤させた後に糊付を行う糊付機において、運転中に、経糸の湿潤装置からの水分のピックアップ率、あるいは糊付前の経糸の水分率と、湿潤させた経糸の糊付装置からの糊液のピックアップ率を各々測定して、少なくともこれら２つの測定値を基に、糊付装置の糊液濃度を推定し、表示する方法。
【請求項２】
糊付装置の糊液濃度が、その管理値を逸脱したときに、経糸の湿潤装置からの水分のピックアップ率、あるいは糊付前の経糸の水分率、の現状値をその目標値に近づけるよう制御して、糊液濃度を管理値に戻す方法。
【発明の詳細な説明】
【０００１】
【発明の属する技術分野】
本発明は、経糸糊付機の内、糊付をしようとする経糸をあらかじめ湿潤させてから糊付をする糊付機において、濃度計を常設すること無く、糊付装置の糊液濃度を常時推定し、また、この濃度を管理値に制御する方法に関する。
【０００２】
【従来の技術】
経糸をあらかじめ湿潤させてから糊付を実施すれば、糊付効果が増して糊材の節減につながることが知られている。一般には、たて糸を８０℃〜９０℃の湯に通した後、一定の水分にまで乾燥させてから糊付をすれば効果的である事が知られている。
【０００３】
この時、糊付装置の糊液は湿潤した経糸が放出する水分で希釈される。
そこで、湿潤した経糸が糊付装置からピックアップする分の糊液の補給用に、あらかじめ糊付装置の糊液濃度より高濃度に設定した糊液を使用する事で、糊付装置の糊液濃度を目標値に管理する事が行われる。
【０００４】
しかし、補給用糊液の濃度が、経糸の水分のピックアップ率、あるいは糊付前の経糸の水分率や、湿潤した経糸の糊液のピックアップ率等と正確に対応していないため、この一定の濃度の糊液を補給し続けると、糊付装置の糊液の濃度は管理値より徐々にずれて、適正な糊付が損なわれる。
【０００５】
そこで、糊付装置の糊液濃度を常に管理値に制御するためには、補給のたびに糊付装置の糊液濃度を計測して、この値に応じて補給する糊液の濃度を調整する必要がある。実際には、高濃度と、低濃度の２種類の糊液あるいは水を準備して、補給の度に、これらの混合割合で、補給する糊液の濃度を調整している。
【０００６】
【発明が解決しようとする課題】
濃度計を常設して、糊液を補給するたびに糊付装置の糊液の濃度を計測し、この値に応じて、その都度補給用糊液濃度を調整する方法は容易ではなく、濃度計を常設することなく、より簡単に糊付装置の糊液濃度を推定して、また、これを管理値に制御する方法の開発が課題である。
【０００７】
【課題を解決するための手段】
濃度計を常設することなく、経糸の湿潤装置からの水分のピックアップ率、あるいは糊付前の経糸の水分率と、湿潤させた経糸の糊付装置からの糊液のピックアップ率の測定値等より、糊付装置の糊液の濃度を推定する計算式を導く。
【０００８】
経糸の湿潤装置からの水分のピックアップ率をＰＷ（％）とし、この内、糊付装置に放出する水分率をＰＷＡ（％）、放出しないで経糸が維持する水分率をＰＷＢ（％）とすると数１が成り立つ。この時、経糸が湿潤装置から出て糊付装置に入るまでに、熱シリンダーや熱風で乾燥させる装置を伴う場合は、これによる乾燥後の糊付前の水分率をＰＷとする。ただし、この水分率にはあらかじめ湿潤させなくても通常持っている水分率を除く。
【０００９】
【数１】
0004294197.tif 000002
【００１０】
糊付装置内の糊液量は運転中に経糸にピックアップされたり、その分を補給したりして変化するが、その上限の容量を管理容量としてＬ（ｋｇ）とし、この時の濃度をＤ（％）とする。また、糊付装置の糊液が補給されてから、新たに補給されるまでに糊付された経糸量をＭ（ｋｇ）とすると、新たに補給される直前の糊付装置の濃度は、希釈されているものの、この間に経糸がピックアップした総量の糊液の濃度に等しく、この濃度をＤＤ（％）とすると数２で現すことが出来る。
【００１１】
【数２】
0004294197.tif 000003
【００１２】
この時、糊付装置に補給すべき糊液の純糊分をＳＳ（ｋｇ）とすると、これは、経糸がピックアップした糊液の総量と、この濃度ＤＤを乗じて数３で現せる。ただし、経糸の糊付装置からの糊液のピックアップ率をＰＳ（％）とする。
【００１３】
【数３】
0004294197.tif 000004
【００１４】
また、補給すべき糊液の容量をＬＬ（ｋｇ）とすると、これは糊付装置から経糸がピックアップした糊液から、経糸が糊付装置に放出した水分を差し引いたものであり、数４で現せる。
【００１５】
【数４】
0004294197.tif 000005
【００１６】
そこで、補給すべき糊液の濃度をＤＳ（％）とすると、これは補給すべき純糊分ＳＳを補給すべき糊液の容量ＬＬで除して、数５で現せる。
【００１７】
【数５】
0004294197.tif 000006
【００１８】
ここで、経糸をあらかじめ湿潤しないで糊付をする時の、糊付装置からの糊液のピックアップ率をＡ（％）とすると、これはあらかじめ湿潤した時の糊付装置からの糊液のピックアップ率と糊付装置に放出しないで維持した水分率の和で現すことが出来ることより、数６で示される。また、数６に数１を代入して数７が導かれ、さらに、数５に数７を代入して数８が導かれる。
【００１９】
【数６】
0004294197.tif 000007
【００２０】
【数７】
0004294197.tif 000008
【００２１】
【数８】
0004294197.tif 000009
【００２２】
また、数８より、糊付装置の糊液濃度Ｄを現す数９を導く。数９において、前述のＡはあらかじめ同条件の経糸を、湿潤しない事の他は同条件で糊付をするときの実績データーで現せる定数であり、Ｌも設備条件の定数である。さらにＤＳは補給する糊が同じである限り、始めに測定しておけば定数となり、Ｍは糊付中の生産高として容易に求められる。
【００２３】
【数９】
0004294197.tif 000010
【００２４】
従って、運転中の経糸の湿潤装置からの水分のピックアップ率ＰＷ、あるいは糊付前の経糸の水分率ＰＷと、湿潤させた経糸の糊付装置からの糊液のピックアップ率ＰＳを各々測定すれば、糊付装置の糊液濃度Ｄを数９にて推定し表示することが出来る。
【００２５】
糊付装置からの糊液のピックアップ率ＰＳは、前回に糊液を補給した後、新たに補給した糊液量ＭＳ（ｋｇ）を、この間に糊付した経糸量Ｍで除して数１０で現される。一方、湿潤装置からの水分のピックアップ率ＰＷは、この間に湿潤装置に補給した水分ＭＷ（ｋｇ）を同じくＭで除して数１１で示される。
また、経糸が湿潤装置から出て糊付装置に入るまでに、熱シリンダーや熱風で乾燥させる装置を伴う場合は、この装置で乾燥させられる水分率をＣ（％）として、この場合のＰＷは数１２で示される。
【００２６】
【数１０】
0004294197.tif 000011
【００２７】
【数１１】
0004294197.tif 000012
【００２８】
【数１２】
0004294197.tif 000013
【００２９】
経糸の湿潤装置からの水分のピックアップ率ＰＷ、または、糊付前の経糸の水分率ＰＷは、数９より導いた数１３にて現される。従って、糊付装置の糊液濃度が管理値を逸脱したときに、数１１で求めた現状のＰＷを、糊液濃度の管理値を数１３に代入して求めた目標のＰＷと比較して、これに近づける制御をすれば、逸脱した糊液濃度は管理値に近づく。即ち、糊付装置の糊液濃度が、その管理値を逸脱したときに、経糸の湿潤装置からの水分のピックアップ率、あるいは糊付前の経糸の水分率、の現状値をその目標値に近づけるよう制御して、糊液濃度を管理値に戻すことが出来る。
【００３０】
【数１３】
0004294197.tif 000014
【００３１】
経糸の湿潤装置からの水分のピックアップ率を制御するには湿潤装置に装備されている絞りロールの絞り圧を調節して行う。糊付装置の糊液濃度が管理値より低い場合、現状の水分ピックアップ率は、数１３より求めた水分ピックアップ率の目標値より高すぎるため、絞り圧を増して目標値に近づけ、逆に、糊液濃度が管理値より高い場合は、絞り圧を減じて、水分ピックアップ率をその目標値に近づくまで上げればよい。
【００３２】
また、経糸が湿潤装置から出て糊付装置に入るまでに、熱シリンダーや熱風で乾燥させる装置を伴う場合は、上記絞り圧の他、この装置でも乾燥させる温度や時間を制御することで、糊付前の経糸の水分率ＰＷを、その目標値に制御して糊付装置の糊液濃度を管理値に近づける事が出来る。
【００３３】
数９において、ＭがＬに比べて十分に小さい時、即ち、糊液の補給時間の間隔が連続補給に近い時、数９は数１４に近似される。つまり、糊付装置の糊液濃度Ｄを糊付装置の容量や経糸糊付量に無関係に近似する事が出来る。
また、数１４より数１５及び数１６を導いて、経糸の湿潤装置からの水分ピックアップ率、及び、糊付装置に補給すべき糊液の濃度を同様に近似する事が出来る。
【００３４】
【数１４】
0004294197.tif 000015
【００３５】
【数１５】
0004294197.tif 000016
【００３６】
【数１６】
0004294197.tif 000017
【００３７】
【発明の実施の形態】
発明の実施の形態を実施例に基づき、図面を参照して説明する。図１は糊付装置１０の前に湿潤装置２を設けた糊付機の一部である。経糸１はガイドロール２２を経て湿潤装置２に導かれ、浸漬ロール４により水３に浸された後、絞りロール５にてその一部の水分を絞られる。こうして湿潤した経糸８は、更に熱シリンダー９にて水分の一部を乾燥されて糊付装置１０に導かれ、浸漬ロール２０にて糊液１１に浸され後、絞りロール２１で糊液の一部を絞られて、その後、熱シリンダー１９にて水分を乾燥させられて、ヤーンビーム１５に巻き取られる。
【００３８】
シーケンサー１６が備えられ、数１０、数１２、数９、及び数１３が組み込まれている。このシーケンサーには糊付機の必要な部分からのデーターを電気信号にて入力される他、入出力装置１７からもマニュアルで必要なデーターが入力出来るようになっており、また、逆にシーケンサー１６で計算された情報を入出力装置１７に出力し表示したり、湿潤装置２の絞りロール５の絞り圧を計算結果に従って制御出来るようになっている。
【００３９】
糊付装置１０内の糊液１１は、湿潤した経糸８にピックアップされるため、運転中に減少する。そこで、糊付装置１０内の糊液１１の容量を管理するため、一定量減少すれば自動的に補給糊液１２を元の管理容量になるまで補給するようになっている。また、湿潤装置内の水３も経糸１にピックアップされるため、補給水６を補給するが、補給糊液１２が補給を始めたときに同期して補給を始め、元の管理容量になれば補給を止めるようになっている。この時、流量計２３及び７にて、それぞれ補給糊液１２及び補給水６の補給量を測定して、各々の値がそれぞれ数１０のＭＳ、及び数１２のＭＷの値として、シーケンサー１６に自動的に入力される。
【００４０】
同時に、補給糊液１２が補給を止めたタイミングもシーケンサー１６に入力されるようになっており、テークアップロール１３に付けられた回転数積算計１８よりのデーターや入出力計１７より入力された経糸の種類等の諸条件をもとに、補給糊液１２が補給されてから、新たに補給され終わるまでの間に糊付をされた経糸量Ｍを計算し、数１０、数１２、数９、及び数１３に代入される。
【００４１】
ここで、数１２のＣは湿潤した経糸８が熱シリンダー９にて乾燥させられる水分率で、ここでは運転中の乾燥条件は一定とし、実績で裏付けされた計算上の値を、入出力装置１７にて定数として入力する。
【００４２】
さて、糊液１１の濃度は、湿潤した経糸８がその一部を放出する水分で希釈されるため、補給糊液１２の濃度はあらかじめこれを見込んで高く設定する。この実施例では数１６を用いて、この濃度を概算する。この数式でＤには糊液１１の運転前に実測した濃度の値を、Ａには今までの実績によるデータとしての定数を、また、ＰＳ及びＰＷには運転中の値を仮に想定して、各々代入する。
【００４３】
こうしてあらかじめ高めに設定した補給糊液１２の濃度ＤＳは概算値により求めたものであり、又、運転中の他の条件変化等も伴って、これを補給し続けると運転前の糊液１１の濃度、すなわち管理値より徐々にずれて、このままでは適正な糊付が損なわれる事態となる。
【００４４】
そこで、糊付装置１０内の糊液１１の、運転中の濃度変化を知るために、数９を用いてこの濃度を算出する。この数式はシーケンサー１６に組み込まれており、数式のＡ、ＤＳ、Ｌは定数としてあらかじめ運転前に入出力装置１７より入力する。ここで、Ａには今までの実績によるデータとしての定数を、ＤＳには運転前に実測した補給糊液１２の濃度を、Ｌには糊付装置１０の糊液量の管理容量を各々入力する。
【００４５】
また、ここまでに示したとおり、シーケンサー１６の数１０及び数１２には各項の値が入力されており、この計算値を数９に代入するようにしている。かくして、補給糊液１２の補給の度に数９のＰＳ、ＰＷ及びＭの値は更新され、その度に計算される糊付装置１０の濃度Ｄを入出力装置１７に出力して、この値を表示する。
【００４６】
さて、シーケンサー１６に組み込まれている数１３のＤには、糊付装置１０の濃度の管理値を定数として、入出力装置１７より入力する。
また、数１３の、ＰＷを除くその他のすべての項は数９と同様に入力される。従って、数１３の計算結果でＰＷが示す水分率は、糊付装置１０の糊液１１の濃度が管理値であるために、湿潤した経糸８が糊付前に持っているべき水分率である。シーケンサー１６では、この数１３で得られたＰＷの目標値と、数１２で得られたＰＷの現状値を常に比較している。
【００４７】
湿潤装置２の絞りロール５は、シーケンサー１６よりの電気信号により、絞り圧が増減するようになっている。ここで、糊付装置１０の糊液１１の濃度が管理値より低い場合は、ＰＷの現状値はその目標値より高くなっており、シーケンサー１６は湿潤装置２の絞りロール５の絞り圧を増して、湿潤した経糸８の水分率を下げる。逆に、糊液１１の濃度が管理値より高い場合は、絞り圧を減じて水分率を上げる。ここで、絞りロールの増減の程度は、ＰＷの目標値と現状値の差異の程度に応じて変える。また、ＰＷの目標値には許容範囲を持たせ、現状値がその範囲内にあれば、絞り圧は変更しないものとしている。シーケンサー１６は補給糊液１２を糊付装置１０に補給する度にＰＷの目標値と現状値を算出して比較しており、その都度、この絞り圧の増減を実施している。
【００４８】
尚、入出力装置１７には、シーケンサー１６で計算した糊液１１の濃度を常に表示しているが、その他のシーケンサー１６に入力されたすべての値と、ここで計算されたすべての値も同時に表示している。
【００４９】
【発明の効果】
本発明は、以上の説明のように構成されており、以下に記載する効果を奏する。
【００５０】
濃度計を常設して、糊液濃度を連続して自動的に測定することは容易ではなく、実施しても高価で扱いが困難である。本発明の方法ではこの様な濃度計を必要としない。
【００５１】
本発明では、湿潤した経糸で希釈される糊付装置の糊液濃度を補正するために、補給糊液の濃度をいちいち調整する必要がなく、自動的に管理値に制御される。
【００５２】
入出力装置には、糊付中の各諸元が刻一刻と表示されるため、糊付状況を常に監視できる。
【図面の簡単な説明】
【図１】あらかじめ経糸を湿潤させた後に糊付を行う糊付機の湿潤装置、糊付装置及び巻き取り装置の概略図である。
【符号の説明】
１  経糸
２  湿潤装置
３  水
４  浸漬ロール
５  絞りロール
６  補給水
７  流量計
８  湿潤した経糸
９  熱シリンダー
１０  糊付装置
１１  糊液
１２  補給糊液
１３  テークアップロール
１４  ガイドロール
１５  ヤーンビーム
１６  シーケンサー
１７  入出力装置
１８  回転数積算計
１９  熱シリンダー
２０  浸漬ロール
２１  絞りロール
２２  ガイドロール
２３  流量計
【図１】
0004294197.tif 000018